(57)【要約】【課題】ゴルフクラブのヘッドスピードを向上することができ、しかも、安定したゴルフスウィングが実現でき、ゴルフボールの球筋を安定させることのできるゴルフ靴およびこのようなゴルフ靴の選択方法を提供する。【解決手段】ゴルフ靴１０ａは、内足側の靴底１２ａにラウンドショルダー１３ａを有し、ゴルフ靴１０ｂは、インソール中足骨具部１８ｂから踵部１６ｂに至るインソール面が水平を基準にして略同等または踵部が低くなるように傾斜している。ゴルフスウィングに最適なゴルフ靴の選択は、ゴルフ靴を履いた状態で、左足の荷重変動に対する左足または右足の荷重変動のインパルス応答、および、右足の荷重変動に対する左足または右足の荷重変動のインパルス応答を得、これらのインパルス応答に基づいて、行われる。【選択図】図１
2005021384.tif 000002
【特許請求の範囲】
【請求項１】
第１のゴルフ靴と第２のゴルフ靴とからなり、左足用と右足用で形状の異なる左右非対称な１組のゴルフ靴であって、
前記第１のゴルフ靴が、
ゴルフ靴幅方向の靴底の断面形状に関し、
前記ゴルフ靴幅方向における前記靴底の一方の端点位置からゴルフ靴の高さ方向に平行な第１の直線を引き、前記靴底の底面位置から前記ゴルフ靴幅方向に平行な第２の直線を引いた際にできる、前記第１の直線と前記第２の直線と前記靴底の外形線とによって囲まれた領域が存在し、この領域の面積が１２ｍｍ２  以上となる部分を、内足側の靴底に有し、
前記第２のゴルフ靴が、
インソール部の中足骨具部から踵部に至るインソール面が、ゴルフ靴長さ方向に関し、水平を基準にして略同等または踵部が低くなるように傾斜していることを特徴とするゴルフ靴。
【請求項２】
前記第１のゴルフ靴の前記領域は、靴先端部分の靴底に形成されることを特徴とする請求項１に記載のゴルフ靴。
【請求項３】
前記第２のゴルフ靴の前記インソール面が、水平を基準にして、７度以下傾斜していることを特徴とする請求項１または２に記載のゴルフ靴。
【請求項４】
前記第１のゴルフ靴が、ゴルフスウィングの際のゴルフボールの飛弾方向と反対方向の足用のゴルフ靴として用いられ、
前記第２のゴルフ靴が、ゴルフスウィングの際のゴルフボールの飛弾方向の足用のゴルフ靴として用いられることを特徴とする請求項１〜３のいずれか１項に記載のゴルフ靴。
【請求項５】
左足用と右足用で形状の異なる左右非対称な１組のゴルフ靴を選択するためのゴルフ靴の選択方法であって、
ゴルフ靴を履いた状態で、左足の荷重変動に対する左足または右足の荷重変動のインパルス応答を得るとともに、右足の荷重変動に対する左足または右足の荷重変動のインパルス応答を得、これらのインパルス応答に基づいて、足に適した左右非対称な１組のゴルフ靴が選択されることを特徴とするゴルフ靴の選択方法。
【請求項６】
インソール部の中足骨具部から踵部に至るインソール面が水平を基準にして略同等または踵部が低くなるように傾斜しているゴルフ靴が、ゴルフスウィングの際のゴルフボールの飛弾方向の足用のゴルフ靴として選択され、
ゴルフ靴幅方向の靴底の断面形状に関し、このゴルフ靴幅方向における前記靴底の一方の端点位置からゴルフ靴の高さ方向に平行な第１の直線を引き、前記靴底の底面位置から前記ゴルフ靴幅方向に平行な第２の直線を引いた際にできる、前記第１の直線と前記第２の直線と前記靴底の外形線とでかこまれた領域が存在し、この領域の面積が１２ｍｍ２  以上となる部分を、内足側の靴底に有するゴルフ靴が、ゴルフボールの飛弾方向と反対方向の足用のゴルフ靴として選択されることを特徴とする請求項５に記載のゴルフ靴の選択方法。
【請求項７】
前記ゴルフ靴を履いて得られる前記インパルス応答について前記ゴルフボールの飛弾方向と反対方向の足のピーク値が、前記ゴルフボールの飛弾方向の足のピーク値に対して１．２倍以上となる１組のゴルフ靴が選択されることを特徴とする請求項６に記載のゴルフ靴の選択方法。
【発明の詳細な説明】
【０００１】
【発明の属する技術分野】
本発明は、ゴルフスウィングに最適なゴルフ靴およびこのゴルフ靴の選択方法に関する。
【０００２】
【従来の技術】
ゴルフは、ゴルファーがゴルフボールを打って定められたホールに入れる、ゴルフ場で行われるスポーツである。ゴルフ場では、少なくと１ラウンド１８ホールを回り、少なくと６〜７ｋｍの長距離を歩行してプレーするので、ゴルフ靴は、ゴルフ場を長距離歩くのに疲れにくい靴であることが第一義的に求められている。そのため、ゴルフ靴はゴルフスウィングに適した靴であるとは言えないのが現状である。
【０００３】
その結果、例えば、長い間使用したゴルフ靴はゴルフスウィング時の足の捻りや回転による急激な変形を受けるため靴底とゴルフ靴側面との剥離や縫糸の破絶等が生じ、歩行するだけでは問題のなかったゴルフ靴が、ゴルフスウィングに基づく変形等によって耐久性が低下するといった問題があった。
【０００４】
このような背景の下、特許文献１では、ゴルフスウィングの際のゴルファーのアドレス時、意識をしなくても体の重心が自然に踵側にかかるように、インソール部の中足骨具部から踵部にかけてのインソール面が−７°〜＋７°の傾きを有する、ゴルフスウィングを考慮したゴルフ靴が提案されている。これによって、ゴルファーは体の重心を意識せず、自然かつリラックスした姿勢でゴルフスウィングができるとされている。
【０００５】
【特許文献１】
特許第３０１２６１７号
【０００６】
【発明が解決しようとする課題】
しかし、このようなゴルフ靴では、安定したゴルフスウィングが実現でき、飛翔するゴルフボールの球筋を安定させることはできても、ゴルフクラブのヘッドスピードを増加させることはできず、ゴルフボールを遠くに飛ばしたいといったゴルファーの希望に沿うことはできない。
【０００７】
そこで、上記問題を解決するために、本発明は、ゴルフクラブのヘッドスピードを向上することができ、しかも、安定したゴルフスウィングが実現でき、ゴルフボールの球筋を安定させることのできるゴルフ靴およびこのようなゴルフ靴の選択方法を提供することを目的とする。
【０００８】
【課題を解決するための手段】
本発明は、上記目的を解決するために、第１のゴルフ靴と第２のゴルフ靴とからなり、左足用と右足用で形状の異なる左右非対称な１組のゴルフ靴であって、前記第１のゴルフ靴が、ゴルフ靴幅方向の靴底の断面形状に関し、前記ゴルフ靴幅方向における前記靴底の一方の端点位置からゴルフ靴の高さ方向に平行な第１の直線を引き、前記靴底の底面位置から前記ゴルフ靴幅方向に平行な第２の直線を引いた際にできる、前記第１の直線と前記第２の直線と前記靴底の外形線とによって囲まれた領域が存在し、この領域の面積が１２ｍｍ２  以上となる部分を、内足側の靴底に有し、前記第２のゴルフ靴が、インソール部の中足骨具部から踵部に至るインソール面が水平を基準にして略同等または踵部が低くなるように傾斜していることを特徴とするゴルフ靴を提供する。
【０００９】
ここで、前記第１のゴルフ靴の前記領域は、靴先端部分の靴底に形成されるのが好ましく、また、前記第２のゴルフ靴の前記インソール面が、水平を基準にして、７度以下傾斜しているのが好ましい。
また、前記第１のゴルフ靴が、ゴルフスウィングの際のゴルフボールの飛弾方向と反対方向の足用のゴルフ靴として用いられ、前記第２のゴルフ靴が、ゴルフスウィングの際のゴルフボールの飛弾方向の足用のゴルフ靴として用いられるのが好ましい。
【００１０】
また、本発明は、左足用と右足用で形状の異なる左右非対称な１組のゴルフ靴を選択するためのゴルフ靴の選択方法であって、ゴルフ靴を履いた状態で、左足の荷重変動に対する左足または右足の荷重変動のインパルス応答を得るとともに、右足の荷重変動に対する左足または右足の荷重変動のインパルス応答を得、これらのインパルス応答に基づいて、足に適した左右非対称な１組のゴルフ靴が選択されることを特徴とするゴルフ靴の選択方法を提供する。
【００１１】
ここで、インソール部の中足骨具部から踵部に至るインソール面が水平を基準にして略同等または踵部が低くなるように傾斜しているゴルフ靴が、ゴルフスウィングの際のゴルフボールの飛弾方向の足用のゴルフ靴として選択され、ゴルフ靴幅方向の靴底の断面形状に関し、このゴルフ靴幅方向における前記靴底の一方の端点位置からゴルフ靴の高さ方向に平行な第１の直線を引き、前記靴底の底面位置から前記ゴルフ靴幅方向に平行な第２の直線を引いた際にできる、前記第１の直線と前記第２の直線と前記靴底の外形線とでかこまれた領域が存在し、この領域の面積が１２ｍｍ２  以上となる部分を、内足側の靴底に有するゴルフ靴が、ゴルフボールの飛弾方向と反対方向の足用のゴルフ靴として、選択されるのが好ましい。
【００１２】
また、前記ゴルフ靴を履いて得られる前記インパルス応答において前記ゴルフボールの飛弾方向と反対方向の足のピーク値が、前記ゴルフボールの飛弾方向の足のピーク値に対して１．２倍以上となる１組のゴルフ靴が選択されるのが好ましい。
【００１３】
【発明の実施の形態】
以下、本発明のゴルフ靴について、添付の図面に示される好適実施例を基に詳細に説明する。図１には、本発明のゴルフ靴の一例である、右足用のゴルフ靴１０ａと左足用のゴルフ靴１０ｂとからなる形状が左右非対称な１組のゴルフ靴１０を示している。なお、図中では、ゴルフ靴に装着されるスパイクピン等の滑り止め治具は省略されている。
【００１４】
ゴルフ靴１０は、形状が異なるゴルフ靴１０ａと１０ｂからなる右打ちのゴルファー（ゴルファー自身から見てゴルフボールを右から左に撃打して飛弾させるゴルファー）の非対称のゴルフ靴である。ゴルフ靴１０ａは、右足用ゴルフ靴であり、ゴルフ靴１０ｂは、左足用ゴルフ靴である。
ゴルフ靴１０ａ、１０ｂの各々は、靴底１２ａ，１２ｂと靴本体部１４ａ、１４ｂを有して構成される。
【００１５】
ゴルフ靴１０ａは、靴底１２ａのうち、内足側の靴底１２ａが、靴本体部１４ａの側面までせり上がり、靴底１２ａの靴幅方向における断面形状が図２（ａ）に示すようにラウンドショルダー１３ａを形成している。すなわち、内足側の靴底１２ａの断面形状に関し、ゴルフ靴幅方向（踵部から爪先に伸びるゴルフ靴長さ方向と直交する方向）における靴底の一方の端点位置からゴルフ靴の高さ方向に平行な直線Ｌ１  を引き、靴底１２ａの底面位置からゴルフ靴幅方向に平行な直線Ｌ２  を引いた際にできる、直線Ｌ１  と直線Ｌ２  と靴底１２ａのラウンドショルダー１３ａの外形線でかこまれた領域Ｓが存在し、この領域Ｓの面積が１２ｍｍ２  以上となっている。
領域Ｓの面積を１２ｍｍ２  以上とすることで、以降で述べる靴底１２ａの接地面との接触面積が広がり、ゴルフ靴１０ａの摩擦特性を向上することができる。
【００１６】
一方、ゴルフ靴１０ｂは、靴底１２ｂが内足側および外足側のいずれの側も、靴底１２ａのように靴本体部１４ｂの側面にまでせり上がっていないが、図３に示すように、インソール部のインソール中足骨具部１８ｂからインソール踵部（踵部ともいう）１６ｂに至るインソール面が、ゴルフ靴長さ方向に関し、ゴルフ靴１０ｂを置いた時の水平面の水平を基準にして略同等または踵部１６ｂが低くなるように傾斜角度θで傾斜している。すなわち、踵部１６ｂがインソール中足骨部１８ｂに比べて同等のレベルあるいは低くなっている。傾斜角度θは、０°以上７度以下となっている。このようなインソール面の傾斜は、靴底１２ｂの厚みによって調整され、あるいは、インソールの厚みによって調整されている。
一方、ゴルフ靴１０ａは、インソール部の踵部は中足骨具部に比べて高くなっている。
【００１７】
本実施例のゴルフ靴１０ａは、図２（ａ）に示すように、靴底１２ａの内足側の幅方向端部において、靴底１２ａが上方にせり上がり、ラウンドショルダー１３ａを形成しているが、本発明は、このようなラウンドショルダー１３ａに限定されず、例えば図２（ｂ）のように、靴底１２ａが靴本体部１４ａの側面にせり上がらないが、靴底の略直角を成すエッジ端部が曲面処理され曲面１３ａ’が形成されてもよい。また、靴底１２ａのエッジ端が直線的に角落としされたエッジカットショルダー１３ａ’’を形成してもよい。少なくとも、図２（ｂ）や（ｃ）に示す領域Ｓが１２ｍｍ２  以上であればよい。
また、靴底端がラウンドショルダー１３ａや曲面１３ａ’やエッジカットショルダー１３ａ’’の形成される内足側の位置は、先端部Ａや先端部Ａから踵部Ｂにいたる内足側の全体であってもよいし、踵部Ｂのみに形成されてもよい。
【００１８】
このように、図２（ａ）〜（ｃ）に示す領域Ｓの面積やラウンドショルダー１３ａや曲面１３ａ’やエッジカットショルダー１３ａ’’の種類やラウンドショルダー１３ａや曲面１３ａ’やエッジカットショルダー１３ａ’’の形成位置等の各種パラメータが設定された種々のゴルフ靴１０ａが、また、図３に示すような傾斜角度θのパラメータが種々異なるゴルフ靴１０ｂが複数用意され、後述するゴルフ靴の選択方法によって、ゴルファーに最適なゴルフ靴を正確に選択することができる。
勿論、後述するゴルフ靴の選択方法によってゴルフ靴を選択しなくても、予め設定されたパラメータを持つゴルフ靴１０ａ、１０ｂを、右打ちのゴルファーであれば右足にゴルフ靴１０ａを、左足にゴルフ靴１０ｂを履けばよい。
【００１９】
なお、ゴルフ靴１０ａは、靴底１２ａの先端部Ａにラウンドショルダー１３ａを形成するのが好ましい。
ゴルフスウィングの際、ゴルフボールのインパクトからフォロースルー、さらにはフィニッシュにかけて、ゴルファーが地面に対して踏ん張ることができ、ゴルフクラブを力強くスウィングすることができ、ゴルフクラブのヘッドスピードを向上させることができるからである。
【００２０】
すなわち、ゴルフスウィングの際、ゴルフ靴１０ａは、図４のような外力（剪断力）Ｆ１  を地面から受ける。すなわち、ラウンドショルダー１３ａの設けられた側から靴底１２ａは外力Ｆ１  を受けるため、靴底１２ａのラウンドショルダー１３ａは外力Ｆ１  によって地面と新たに接触し、地面と靴底１２ａの接触面が拡がる。従って、靴底１２ａと地面間の限界摩擦力は上昇して摩擦特性は向上し、ゴルフスウィングの際のフォロースルー、さらにはフィニッシュにかけてゴルフ靴１０が地面に対して滑ることなく、力強くゴルフクラブをスウィングすることができる。また、ゴルフスウィング中、フォロースルーからフィニッシュにかけて踵部分は地面から浮き上がり、爪先を中心に滑らかに回転するが、先端部Ａにラウンドショルダー１３ａが設けられているので、ゴルファーの足首がラウンドショルダー１３ａに沿って滑らかに傾いていく。従って、ゴルフ靴１０ａはラウンドショルダー１３ａに沿って地面から大きな外力Ｆ１  を受けるとともに、外力Ｆ１  の発生を滑らかにコントロールすることができる。
【００２１】
このように、右打ちのゴルファーの、ゴルフスウィングの際の右足、すなわち、ゴルフボールの飛弾方向と反対方向（反飛弾方向）の足は、ゴルフボールのインパクトからフォロースルー、さらにはフィニッシュにかけて、ゴルフクラブのヘッドスピードを向上させるための外力Ｆ１  の発生とその外力Ｆ１  の大きさを調整する、いわゆる作用足としての機能を有する。そして、ゴルフ靴１０ａは、この機能をより効果的に発揮させる。
【００２２】
一方、ゴルフ靴１０ｂが、インソール中足骨具部１８ｂから踵部１６ｂに至るインソール面がゴルフ靴長さ方向に関し、水平を基準にして略同等または踵部１６ｂが低くなるように傾斜しているのは、ゴルフスウィング中、左足にかかる荷重や外力に対して体を安定して維持するための安定維持機能を向上させるためである。
【００２３】
すなわち、図５に示すようにゴルフスウィングの際、ダウンスウィングからゴルフボールのインパクトにかけて体重移動に伴って左足にかかる荷重や外力（剪断力）Ｆ２  が増大し、ゴルフクラブをスウィングさせるための回転モーメントＭが増大するが、ゴルフ靴１０ｂは、この荷重や外力Ｆ２  に対して安定して体を保持できるように、すなわち、ダウンスイング前から左足の踵部分に荷重がかかるようにインソール部を踵側に傾斜させ、体重移動に伴って左足にかかる荷重の徐々に発生し増大する外力Ｆ２  に対しても安定して体を保持できるように、ゴルフスウィングの始めから、踵部１６ｂに荷重や外力Ｆ２  がかかるように作用する。
【００２４】
すなわち、右打ちのゴルファーのゴルフスウィングの際の左足、すなわち、ゴルフボールの飛弾方向の足は、ダウンスウィング前からフォロースルーに至る荷重や外力Ｆ２  に対して、体を安定して保持しようとするいわゆる軸足としての機能を有するが、ゴルフ靴１０ｂは、この軸足としての機能をより効果的に発揮させるものである。これによって、ゴルフスウィング時の回転を安定させて、ゴルフボールの打球方向を安定させることができる。
このようなゴルフ靴１０ａ、１０ｂを履くことによって、右足に履くゴルフ靴１０ａによって、ゴルフクラブのヘッドスピードを上昇させるとともに、左足に履くゴルフ靴１０ｂによって、ゴルフボールの打球方向を安定させることができる。
なお、左打ちのゴルファー（ゴルフボールを左から右に撃打して飛弾させるゴルファー）は、右足が飛弾方向の足、左足が反飛弾方向の足となり、ゴルフ靴１０ａが左足用として作製され、ゴルフ靴１０ｂが右足用として作製される。
【００２５】
このようにゴルフスウィングの際の右足、左足は機能が異なるが、この機能の程度も、ゴルファーがそれぞれ体格や体重が異なるるように、ゴルファー個人個人によって異なっている。従って、ゴルフスウィングの際の右足、左足の機能を十分に発揮させるように、ゴルファー個人個人に適したゴルフ靴を選択することが望まれる。
以下に示す本発明のゴルフ靴の選択方法は、上記ゴルファー個人個人に適したゴルフ靴の選択を実現するものである。
以下、本発明のゴルフ靴の選択方法について説明する。
【００２６】
図６は、右打ちのゴルファーがゴルフ靴１０ａおよび１０ｂを履いて床反力計３０ａ、３０ｂ上に載った状態を後方から見た様子を示している。床反力計３０ａ、３０ｂは、右足、左足にかかる荷重Ｗａ  、荷重Ｗｂ  を計測する計測装置であって、公知のものが用いられる。例えば、キスラー社製の床反力計が挙げられる。床反力計３０ａ、３０ｂより出力される信号は信号処理装置３２で増幅され、サンプリングされて、コンピュータ３４に供給される。
床反力計３０ａ、３０ｂでは、両目を開眼した状態で所定時間静止した状態の荷重Ｗａ  、Ｗｂ  の変動成分が計測され、コンピュータ３４で、図７に示すような荷重Ｗａ  、Ｗｂ  の変動成分の波形が得られる。
【００２７】
このような荷重Ｗａ  、Ｗｂ  の変動成分は、図８に示すような、ゴルファー個人個人の持つ体内の運動を司る制御系５０によって制御されている。
この制御系５０が荷重Ｗａ  、Ｗｂ  の変動成分ΔＷａ  、ΔＷｂ  を定めているので、制御系５０を２変数からなるフィードバック系でモデル化し、すなわち、下記式（１）、（２）によって表すことができる。
そこで、床反力計３０ａ、３０ｂで測定された変動成分ΔＷａ  、ΔＷｂ  を用いて、制御系５０がコンピュータ３４によって同定される。すなわち、式（１）、（２）中の係数αｋ  、βｋ  （Ｋ＝１〜Ｍ：Ｍは自然数）が算出される。ここで、自然数Ｍは、制御系５０の次数を示すもので、オペレータによって予め与えてもよいし、予め定めておいてもよく、最適な次数として、情報エントロピーを最小化する赤池の情報量基準に従って次数Ｍを決定してもよい。式（１）、（２）は、時間ｔｉ  における荷重変動成分ΔＷａ  、ΔＷｂ  を、それ以前のｔｉ−１  ，ｔｉ−２  ，・・・，ｔｉ−Ｍ  の荷重変動成分ΔＷａ  、ΔＷｂ  と係数αｋ  、βｋ  とを用いて表す自己回帰モデルである。ｅａ  （ｔｉ  ）、およびｅｂ  （ｔｉ  ）は、残差ノイズ成分である。
【００２８】
【数１】
2005021384.tif 000003
【数２】
2005021384.tif 000004
【００２９】
係数αｋ  、βｋ  の算出は、図７に示す計測データである荷重Ｗａ  、Ｗｂ  の変動成分を基に最小自乗法等を用いて、コンピュータ３４において行われる。
次に、算出された係数αｋ  、βｋ  を用いて、右足、左足の各々に単位インパルス荷重を与えた時の右足および左足の荷重変動、すなわち、図９（ａ）、（ｂ）に示すようなインパルス応答、ＩＲＲ、ＩＬＬ、ＩＬＲおよびＩＲＬがコンピュータ３４において算出される。
ここで、ＩＲＲは、右足に単位インパルス荷重を与えた時の右足の荷重変動成分ΔＷａ  、および、ＩＬＬは、左足に単位インパルス荷重を与えた時の左足の荷重変動成分ΔＷｂ  であり、ＩＬＲは、左足に単位インパルス荷重を与えた時の右足の荷重変動成分ΔＷａ  、および、ＩＲＬは、右足に単位インパルス荷重を与えた時の左足の荷重変動成分ΔＷｂ  である。
【００３０】
そして、インパルス応答ＩＲＲ、ＩＬＬ、ＩＲＬ、ＩＬＲによって、上述したゴルフスウィング中の右足、左足の機能が十分に発揮されているか調べることができる。例えば、作用足としての機能が十分に発揮される場合、足に荷重が変動すると、荷重変動の応答ピークが大きく、作用足の調整機能に基づいて応答ピークが素早く減衰する。一方、軸足としての機能が十分に発揮される場合、足にかかる荷重が変動すると、軸足の保持機能によって荷重変動にもかかわらず応答ピークが小さく、その後の応答ピークは緩やかに減衰する。
このような作用足および軸足の特徴を用いて、ゴルフ靴１０ａ、１０ｂを履いた状態で作用足、軸足として機能が発揮されているか、機能の発揮の程度が調べられる。
右打ちのゴルファーの場合、右足のインパルス応答ＩＲＲのピーク値ＰＲＲが左足のインパルス応答ＩＬＬのピーク値ＰＬＬに比べて１．２倍以上となっているか、あるいは、インパルス応答ＩＲＬのピーク値ＰＲＬが左足のインパルス応答ＩＬＲのピーク値ＰＬＲに比べて１．２倍以上となっているか調べ、ゴルフ靴を履いてこのピーク値の比が１．２倍以上となるゴルフ靴を、種々のゴルフ靴１０ａ、１０ｂの中から選択する。なお、ピーク値ＰＲＲ、ＰＬＬは、図９（ａ）に示すように、インパルス応答ＩＲＲ、ＩＬＬが減衰を開始する最大ピーク値であり、ピーク値ＰＲＬ、ＰＬＲは、図９（ｂ）に示すように、インパルス応答ＩＲＬ、ＩＬＲが減衰を開始する負の値を有する最小ピーク値である。
【００３１】
このようなゴルフ靴の選択方法により、右足は、外力や荷重変動に対して敏感に応答し、荷重や外力の制御調整を行う作用足として、左足は外力や荷重変動に対して応答が鈍感で、荷重や外力の変動をなるべく抑えた応答を行う安定性維持のための軸足として機能を発揮する。
上記インパルス応答のピーク値の比率は１．２以上であるが、より好ましくは、上記比率は１．５以上であるのがよい。
【００３２】
上記実施例では、ゴルフ靴１０ａ、１０ｂを用いて形状が非対称なゴルフ靴を選択する方法を説明したが、本発明のゴルフ靴の選択方法においては、ゴルフ靴１０ａ、１０ｂに限定されず、左足用ゴルフ靴と右足用ゴルフ靴で形状が異なる左右非対称な１組のゴルフ靴であればいずれであってもよい。
また、上記説明では、いずれもゴルフボールを右から左に撃打して飛翔させる右打ちのゴルファーを例にして説明したが、ゴルフボールを左から右に撃打して飛翔させる左打ちのゴルファーの場合、ゴルフ靴１０ａと１０ｂおよび左右の足の機能を入れ替えて同様に説明することができる。
【００３３】
以上、本発明のゴルフ靴およびゴルフ靴の選択方法について詳細に説明したが、本発明は上記実施例に限定はされず、本発明の要旨を逸脱しない範囲において、各種の改良および変更を行ってもよいのはもちろんである。
【００３４】
【発明の効果】
以上、詳細に説明したように、本発明によれば、ゴルフクラブのヘッドスピードを向上することができ、しかも、安定したゴルフスウィングが実現でき、ゴルフボールの球筋を安定させることができる。
【図面の簡単な説明】
【図１】本発明のゴルフ靴の一例を示す斜視図である。
【図２】（ａ）〜（ｃ）は、本発明のゴルフ靴の靴底の断面形状の例を示す断面図である。
【図３】本発明のゴルフ靴のインソール部の一例を説明する図である。
【図４】本発明のゴルフ靴のゴルフスウィング時の状態を説明する説明図である。
【図５】ゴルフスウィング時の足裏の外力の発生を説明する説明図である。
【図６】本発明のゴルフ靴の選択方法を説明する説明図である。
【図７】本発明のゴルフ靴の選択方法で得られる荷重変動の一例を示す図である。
【図８】本発明のゴルフ靴の選択方法を説明する図である。
【図９】（ａ）および（ｂ）は、本発明のゴルフ靴の選択方法で得られるインパルス応答の一例を示す図である。
【符号の説明】
１０，１０ａ，１０ｂ  ゴルフ靴
１２ａ，１２ｂ  靴底
１３ａ  ラウンドショルダー
１３ａ’曲面
１３ａ’’エッジカットショルダー
１４ａ，１４ｂ  靴本体部
１６ｂ  インソール踵部
１８ｂ  インソール中足骨具部
３０ａ，３０ｂ  床反力計
３２  信号処理装置
３４  コンピュータ
【図１】
2005021384.tif 000005
【図２】
2005021384.tif 000006
【図３】
2005021384.tif 000007
【図４】
2005021384.tif 000008
【図５】
2005021384.tif 000009
【図６】
2005021384.tif 000010
【図７】
2005021384.tif 000011
【図８】
2005021384.tif 000012
【図９】
2005021384.tif 000013